(57)【特許請求の範囲】
【請求項１】
データ・ストリーム（１１）から抽出されたタイミング情報に依存して基準周波数（ｆＲＦ）を発生する装置であって、以下のものを備えるもの。
少なくとも一つの自励発振手段（１；４１，４４）。ここで、少なくとも二つの発振信号（ｆＬＯ，ｆＯＳＣ；ｆＬＯ，ｆＯＳＣ，ｏｕｔ，ｆＯＳＣ，ｉｎ）が、前記少なくとも一つの発振手段（１；４１，４４）から導出される。
前記少なくとも一つの自励発振手段（１；４１，４４）のそれぞれについて、タイミング情報に基づいて周波数偏差を推定するための推定手段（５；５１，５２）。
少なくとも二つの発振信号（ｆＬＯ，ｆＯＳＣ；ｆＬＯ，ｆＯＳＣ，ｏｕｔ，ｆＯＳＣ，ｉｎ）の少なくとも一つの周波数を、周波数修正値（ΔｆＣＯＭＰ）によって修正するための周波数修正手段（６；４６）。
前記少なくとも二つの発振信号（ｆＬＯ，ｆＯＳＣ；ｆＬＯ，ｆＯＳＣ，ｏｕｔ，ｆＯＳＣ，ｉｎ）を、前記基準周波数（ｆＲＦ）を生成する信号に連結するためのリンキング手段（３、７；４３，４７）。ここで、基準周波数（ｆＲＦ）は、明白な機能関係によって前記少なくとも二つの発振信号（ｆＬＯ，ｆＯＳＣ；ｆＬＯ，ｆＯＳＣ，ｏｕｔ，ｆＯＳＣ，ｉｎ）の周波数と連結される。
基準周波数（ｆＲＦ）によって与えられたタイミング情報が前記データ・ストリーム（１１）から抽出されたタイミング情報に対応するように、少なくとも一つの推定周波数偏差に基づいてそれぞれの周波数修正値（ΔｆＣＯＭＰ）を決定するための制御手段（５；５３）と、
を備える基準周波数（ｆＲＦ）を発生する装置。
【請求項２】
タイミング情報が、データ・ストリーム（１１）内で伝送されるタイムスタンプからなる請求項１に記載の装置。
【請求項３】
タイムスタンプが、２７ＭＨｚクロックに基づいたＭＰＥＧ−２伝送ストリームのプログラム・クロック基準（ＰＣＲ）からなる請求項２に記載の装置。
【請求項４】
リンキング手段（３、７；４３，４７）が、その出力信号がそれぞれの入力信号の周波数を線形的に組み合わせた周波数を有する少なくとも一つのミキサー（７；４７）からなる請求項１から３の一つに記載の装置。
【請求項５】
前記ミキサー（７；４７）の出力信号の周波数が、入力信号の周波数の和の大きさである請求項１から４の一つに記載の装置。
【請求項６】
前記ミキサー（７；４７）の出力信号の周波数が、入力信号の周波数の差の大きさである請求項１から４の一つに記載の装置。
【請求項７】
推定手段（５；５１、５２）が、それぞれの発振手段（１；４１，４４）の周波数偏差を次式
【数１】
0003553020.tif 000015
ここでｔｉｎｆ（ｄａｔａ）：データ・ストリームのタイミング情報
ｔｉｎｆ（ｏｓｃ）：発振手段のタイミング情報
ｆｒｅｑｕｅｎｃｙ（ｏｓｃ）：発振手段の周波数
により推定する請求項１から６の一つに記載の装置。
【請求項８】
それぞれのタイミング情報が、最終訂正を周波数修正手段（６；４６）によって適用した後の周期に関連づけられる請求項７に記載の装置。
【請求項９】
推定手段（５；５１，５２）が、その内容が閉ループ回路内でデータ・ストリーム（１１）のタイミング情報を探索するカウンタ（３１）からなり、カウンタ（３１）のための調整工程がそれぞれの周波数偏差を推定する役割を果たす請求項１から６の一つに記載の装置。
【請求項１０】
カウンタ（３１）の内容が、基準時間信号としての役割を果たす請求項９に記載の装置。
【請求項１１】
推定手段（５；５１，５２）が、タイミング情報に基づいてＰＬＬ周波数を発生する位相ロック・ループ（２０）からなり、ＰＬＬ周波数をそれぞれの発振手段（１；４１，４４）の周波数と比較することにより周波数偏差が得られる請求項１から６の一つに記載の装置。
【請求項１２】
周波数修正手段（６；４６）が、スケーリング・ファクタによってそれぞれの発振信号の周波数を修正する周波数スケーリング手段からなる請求項１から１１の一つに記載の装置。
【請求項１３】
制御手段（５；５３）が、マイクロプロセッサからなる請求項１から１２の一つに記載の装置。
【請求項１４】
少なくとも一つの発振手段（１；４１，４４）が、第１自励発振器（１）からなる請求項１から１３の一つに記載の装置。
【請求項１５】
前記第１自励発振器（１）から、第１発振信号（ｆＬＯ）が周波数逓倍器（２）によって導出され、また第２発振信号（ｆＯＳＣ）が周波数分割器（４）によって導出される請求項１４に記載の装置。
【請求項１６】
前記第２発振信号（ｆＯＳＣ）が、推定手段（５）と、ＩＦキャリア信号を生成する周波数修正手段（６）とに供給される請求項１５に記載の装置。
【請求項１７】
前記少なくとも一つの発振手段（１；４１，４４）が第３発振信号（ｆＯＳＣ，ｉｎ）を生成する第２自励発振器（４４）を備え、また前記第２発振信号（ｆＯＳＣ，ｏｕｔ）が推定手段（４５）に供給され、さらに前記第３発振信号（ｆＯＳＣ，ｉｎ）がＩＦキャリア信号を生成する周波数修正手段（６；４６）に供給される請求項１５に記載の装置。
【請求項１８】
ＩＦキャリア信号が、ユーザ信号と一緒に、中間送信信号（ｆＩＦ）を生成するミキサー（７；４７）に供給される請求項１６または１７に記載の装置。
【請求項１９】
中間送信信号（ｆＩＦ）が、前記第２発振信号（ｆＬＯ）と一緒に、前記基準周波数（ｆＲＦ）に対応するキャリア周波数での送信（ｆＲＦ）に適した信号を生成するミキサー（３；４３）に供給される請求項１８に記載の装置。
【請求項２０】
主局と数個の基地局を備える通信ネットワーク。ここで、
主局はデータ・ストリーム（１１）内の時間情報を基地局の各々に送信し、
各基地局はデータ・ストリーム（１１）から抽出されたタイミング情報に依存して基準周波数（ｆＲＦ）を生成するための装置を備える。この装置は、更に以下のものを備える。
少なくとも一つの自励発振手段（１；４１，４４）。ここで、少なくとも二つの発振信号（ｆＬＯ，ｆＯＳＣ；ｆＬＯ，ｆＯＳＣ，ｏｕｔ，ｆＯＳＣ，ｉｎ）が、前記少なくとも一つの発振手段（１；４１，４４）から導出される。
前記少なくとも一つの自励発振手段（１；４１，４４）のそれぞれについて、タイミング情報に基づいて周波数偏差を推定するための推定手段（５；５１，５２）。
少なくとも二つの発振信号（ｆＬＯ，ｆＯＳＣ；ｆＬＯ，ｆＯＳＣ，ｏｕｔ，ｆＯＳＣ，ｉｎ）の少なくとも一つの周波数を、周波数修正値（ΔｆＣＯＭＰ）によって修正するための周波数修正手段（６；４６）。
前記少なくとも二つの発振信号（ｆＬＯ，ｆＯＳＣ；ｆＬＯ，ｆＯＳＣ，ｏｕｔ，ｆＯＳＣ，ｉｎ）を、前記基準周波数（ｆＲＦ）を生成する信号に連結するためのリンキング手段（３、７；４３，４７）。ここで、基準周波数（ｆＲＦ）は、明白な機能関係によって前記少なくとも二つの発振信号（ｆＬＯ，ｆＯＳＣ；ｆＬＯ，ｆＯＳＣ，ｏｕｔ，ｆＯＳＣ，ｉｎ）の周波数と連結される。
基準周波数（ｆＲＦ）によって与えられたタイミング情報が前記データ・ストリーム（１１）から抽出されたタイミング情報に対応するように、少なくとも一つの推定周波数偏差に基づいてそれぞれの周波数修正値（ΔｆＣＯＭＰ）を決定するための制御手段（５；５３）。
【請求項２１】
データ・ストリーム（１１）から抽出されたタイミング情報に依存して基準周波数（ｆＲＦ）を発生する方法であって、以下の工程を含むもの。
少なくとも一つの自励発振手段（１；４１，４４）から導出された少なくとも二つの発振信号（ｆＬＯ，ｆＯＳＣ；ｆＬＯ，ｆＯＳＣ，ｏｕｔ，ｆＯＳＣ，ｉｎ）を提供する工程。
前記少なくとも一つの自励発振手段（１；４１，４４）のそれぞれについて、タイミング情報に基づいて周波数偏差を推定する工程。
少なくとも二つの発振信号（ｆＬＯ，ｆＯＳＣ；ｆＬＯ，ｆＯＳＣ，ｏｕｔ，ｆＯＳＣ，ｉｎ）の少なくとも一つの周波数を、周波数修正値（ΔｆＣＯＭＰ）によって修正する工程。
前記少なくとも二つの発振信号（ｆＬＯ，ｆＯＳＣ；ｆＬＯ，ｆＯＳＣ，ｏｕｔ，ｆＯＳＣ，ｉｎ）を、前記基準周波数（ｆＲＦ）を生成する信号に連結する工程。ここで、基準周波数（ｆＲＦ）は、明白な機能関係によって前記少なくとも二つの発振信号（ｆＬＯ，ｆＯＳＣ；ｆＬＯ，ｆＯＳＣ，ｏｕｔ，ｆＯＳＣ，ｉｎ）の周波数と連結される。
基準周波数（ｆＲＦ）によって与えられたタイミング情報が前記データ・ストリーム（１１）から抽出されたタイミング情報に対応するように、少なくとも一つの推定周波数偏差に基づいてそれぞれの周波数修正値（ΔｆＣＯＭＰ）を決定する工程。
【請求項２２】
タイミング情報が、データ・ストリーム（１１）内で伝送されるタイムスタンプからなる請求項２１に記載の方法。
【請求項２３】
タイムスタンプが、２７ＭＨｚクロックに基づいたＭＰＥＧ−２伝送ストリームのプログラム・クロック基準（ＰＣＲ）からなる請求項２２に記載の方法。
【請求項２４】
少なくとも二つの発振信号（ｆＬＯ，ｆＯＳＣ；ｆＬＯ，ｆＯＳＣ，ｏｕｔ，ｆＯＳＣ，ｉｎ）が、少なくとも一つのミキサー（７；４７）によって連結され、その出力信号がそれぞれの入力信号の周波数を線形的に組み合わせた周波数を有している請求項２１から２３の一つに記載の方法。
【請求項２５】
前記ミキサー（７；４７）の出力信号の周波数が、入力信号の周波数の和の大きさである請求項２１から２４の一つに記載の方法。
【請求項２６】
前記ミキサー（７；４７）の出力信号の周波数が、入力信号の周波数の差の大きさである請求項２１から２４の一つに記載の方法。
【請求項２７】
それぞれの発振手段（１；４１，４４）の周波数偏差を次式、
【数２】
0003553020.tif 000016
ここでｔｉｎｆ（ｄａｔａ）：データ・ストリームのタイミング情報
ｔｉｎｆ（ｏｓｃ）：発振手段のタイミング情報
ｆｒｅｑｕｅｎｃｙ（ｏｓｃ）：発振手段の周波数
により推定する請求項２１から２６の一つに記載の方法。
【請求項２８】
それぞれのタイミング情報が、最終訂正を周波数修正手段（６；４６）によって適用した後の周期に関連づけられる請求項２７に記載の方法。
【請求項２９】
その内容が閉ループ回路内でデータ・ストリーム（１１）のタイミング情報を探索するカウンタ（３１）が設けられ、またカウンタ（３１）のための調整工程がそれぞれの周波数偏差を推定する役割を果たす請求項２１から２６の一つに記載の方法。
【請求項３０】
カウンタ（３１）の内容が、基準時間信号としての役割を果たす請求項２９に記載の方法。
【請求項３１】
タイミング情報に基づいてＰＬＬ周波数を発生する位相ロック・ループ（２０）が設けられ、ＰＬＬ周波数をそれぞれの発振手段（１；４１，４４）の周波数と比較することにより周波数偏差が推定される請求項２１から２６の一つに記載の方法。
【請求項３２】
少なくとも一つの発振信号の周波数が、スケーリング・ファクタによって修正される請求項２１から３１の一つに記載の方法。
【請求項３３】
それぞれの周波数修正値（ΔｆＣＯＭＰ）の決定が、マイクロプロセッサによって実行される請求項２１から３２の一つに記載の方法。
【請求項３４】
第１自励発振器（１）が設けられた請求項２１から３３の一つに記載の方法。
【請求項３５】
前記第１自励発振器（１）から、第１発振信号（ｆＬＯ）が周波数逓倍器（２）によって導出され、また第２発振信号（ｆＯＳＣ）が周波数分割器（４）によって導出される請求項３４に記載の方法。
【請求項３６】
前記第２発振信号（ｆＯＳＣ）が、推定手段（５；５１．５２）と、ＩＦキャリア信号を生成する周波数修正手段（６；４６）とに供給される請求項３４に記載の方法。
【請求項３７】
第３発振信号（ｆＯＳＣ，ｉｎ）を生成する第２自励発振器（４４）が設けられ、また前記第２発振信号（ｆＯＳＣ）が推定手段（５；５１，５２）に供給され、さらに前記第３発振信号（ｆＯＳＣ，ｉｎ）がＩＦキャリア信号を生成する周波数修正手段（６；４６）に供給される請求項３５に記載の方法。
【請求項３８】
ＩＦキャリア信号が、ユーザ信号と一緒に、中間送信信号（ｆＩＦ）を生成するミキサー（７；４７）に供給される請求項３６または３７に記載の方法。
【請求項３９】
中間送信信号（ｆＩＦ）が、前記第２発振信号（ｆＯＳＣ）と一緒に、前記基準周波数（ｆＲＦ）に対応するキャリア周波数での送信に適した信号を生成するミキサー（７；４７）に供給される請求項３８に記載の方法。
【発明の詳細な説明】
【０００１】
本発明は基準周波数を発生する装置および方法に関する。
【０００２】
衛星ＴＤＭＡネットワークにおいて、種々のユーザー局は自局の最初の送信段階及び自局のキャリア周波数を導出するための共通の時間および周波数基準を必要とする。従って、これら複数のユーザー局の時間及び周波数の同期は重要な点であり、その際、ユーザー間の干渉を最小化し、処理量を最大化するための効率的なシステムを導くための厳しい制約を考慮しなければならない。
【０００３】
ＷＯ９８／１３９６９によると、ＡＴＭネットワーク内において、ネットワーク内の遅延を補償または測定するためにタイム・スタンピング・クロックを同期させる。ＡＴＭネットワーク内では、時間値がＴＳＴＰと呼ばれるフィールドに送られる。ＴＳＴＰフィールドは３２ビットからなり、また、時間値は、１９７２年１月１日からの経過時間をマイクロ秒で表した数字の下位３２ビットとして記憶される。これらの値の時間差を単に計算することによって、タイム・スタンピング・クロックは、ネットワーク同期クロックに位相ロックされたままで、各ノード内で稼働することができる。しかし、これらタイム・スタンピング・クロックのタイミングは、ＡＴＭネットワーク内に遅延があるために変化する。パケット交換ネットワーク中の遅延は、例えばパケットをネットワーク内で一つのノードから他のノードに交換するときなどに発生する。これらの遅延には相当にばらつきがあり、またネットワーク中および個々のノード中での利用度にもよる。従って、ネットワークの負荷調整を可能にするために、あるいはネットワークのどの部分で遅延が生じ、その遅延が大きいか小さいかを確認するために、遅延の測定及び補償の両方が必要である。
【０００４】
最初に、異なるノード内のタイム・スタンピング・クロックを同期させるために、これらのクロックはネットワーク同期クロックに位相ロックされ、付加的に絶対時間がＧＰＳ受信機から得られる。ＧＰＳ受信機がＴＯＤ（一日の時刻）およびＰＰＳ（１秒当りのパルス）を同期機能に供給する。同期機能はＴＯＤを使用してノード内のタイム・スタンピング・クロックのための絶対時間を提供する。こうして、異なるノード中のタイム・スタンピング・クロックの絶対時間を１秒の分解能で同期させることができる。ＰＰＳパルスはクロック間の１マイクロ秒の精度を得るのに使用される。タイム・スタンピング・クロックはＧＰＳではなくネットワーク同期クロックに位相ロックされるので、ＧＰＳ機器が故障しても、またはＧＰＳ衛星からの信号が妨害されても、タイム・スタンピング・クロックは高い精度を維持できる。
【０００５】
第２に、パケットをタイム・スタンピングすることによって、すなわち、パケットがノードを出た時刻を表す値をそのパケット内に保存することによって、遅延が測定される。次に、そのパケットがネットワーク中の他のノードに送られ、このノードが保存された値を読み取り、その設定値を自ノード中のタイム・スタンピング・クロック上の値と比較する。これが遅延の値を提供する。
【０００６】
ＥＰ０５６４２２０Ａ２には、基準クロックで多数のクロックの動作を同期させるクロック同期システムが開示されている。この同期システムの各クロックは、現在時間を指示し、クロック信号によって連続的に加算されるカウンタを含んでいる。タイム・カウンタ・コントローラは、カウンタを初期化し、カウンタの進行を制御するクロック信号を発生する。このタイム・カウンタ・コントローラは更に、カウンタによって指示された時刻をモニターし、基準クロックから受信した基準時間信号と比較する。この比較に基づいて、タイム・カウンタ・コントローラは選択的にカウンタを再初期化するとともに、基準クロックが進行するレートに等しいレートでカウンタが進行することを保証するように、カウンタに供給されるクロック信号のレートを調節する。好ましくは、基準時間信号は全地球的測位システム（ＧＰＳ）から受信される。
【０００７】
ＥＰ０６７１８２８Ａ１では、クロック回路はデータ受信機内のタイミング信号と伝送情報信号を取り出すようになっている。これによって、低廉なローカル・マスター・クロックの精度を高めることができる。そのタイミング関係は、テレビ放送信号に含まれる水平同期信号またはカラー・バースト・パルスから導出することができる。タイミング関係を受信するには、デジタルＨＤＴＶデータ・パケット・フォーマットないしＭＰＥＧ−２フォーマットのようなデータ・パケット通信スキームを使用することも可能である。
【０００８】
ＥＰ０８３６２８２Ａ１では、同期した基準時間を得るために、改良型位相ロック・ループ回路がＭＰＥＧ−２伝送ストリームからタイム・スタンプを抽出するようになっている。ＭＰＥＧ−２伝送ストリームでは、ＰＣＲ（プログラム・クロック基準）タイム・スタンプが周期的に送信される。ＰＣＲはＰＣＲ抽出回路により伝送ストリームから検出される。時間基準値が検出されたとき、カウンタがＶＣＯ（電圧制御型発振器）によって発振されたクロックをカウントし、比較器がカウンタの値とＰＣＲの値とを比較する。両値の位相差が、デジタル・フィルターを介してＶＣＯに帰還される。制御開始段階においては、デジタル・フィルターの利得は大きい値に指定される。これにより、位相差は急速に許容可能な差の範囲に収束される。ロック段階においては、利得は小さい値に指定される。これにより、制御操作は安定して実行される。
【０００９】
衛星ＴＤＭＡネットワークのユーザ局において時間基準を発生するためには、ユーザ局が一般的にインドア・ユニット（ＩＤＵ）及びアウトドア・ユニット（ＯＤＵ）から成ることに注意する必要がある。アウトドア・ユニットはアップコンバータおよび／またはダウンコンバータを備えた衛星アンテナを含み、インドア・ユニットはエンコーダ／デコーダおよびＱＰＳＫモジュレータを含む。従来、インドア・ユニットとアウトドア・ユニットはこのように分離しているため、異なる機構が特に衛星システムの同期を達成するのに使用されていた。すなわち、
−  インドア・ユニット（ＩＤＵ）は、極めて安定した基準周波数として、「高価な」恒温槽付発振器（ＯＣＸＯ）を使用している。ＩＤＵは、その信号を固定ＩＦキャリア周波数でアウトドア・ユニット（ＯＤＵ）に送信する。ＩＤＵはまた、基準周波数をＯＤＵに送信する。この基準周波数は、ＯＤＵ内の「高価な」マイクロ波発振器により、アップコンバータ周波数を発生するために使用されている。インドア・ユニット（ＩＤＵ）は、そのＩＦ周波数を修正するため、ハブ（Ｈｕｂ）とメッセージを交換する。
−  上記と同様であるが、アウトドア・ユニット（ＯＤＵ）は別の独立した「高価な」ＯＣＸＯを使用して、極めて安定したアップコンバータ周波数を得ている。これがＩＤＵからＯＤＵに送信される基準周波数の使用を回避している。
−  ＩＤＵはローカル発振器をダウン・リンク信号にロックし、正しいＩＦ周波数を発生するためにハブとメッセージを交換する。ＩＤＵは基準周波数をＯＤＵに送信し、これがアップコンバータ周波数を発生させるためにＯＤＵ内の「高価な」マイクロ波ＰＬＬによって使用される。これがＩＤＵ内で高価なＯＣＸＯの使用を回避している。
−  周波数アジャイル式システムにおいては、ＩＤＵはＬバンド（９５０−２１５０ＭＨｚ）のＩＦ信号を直接発生し、これによってＯＤＵアップコンバータの周波数アジャイル機能を回避してもよい。ＯＤＵはその信号を固定発信器周波数によってアップコンバートする。これにより周波数アジャイル機能が提供されるが、それでもなおアップコンバータ周波数を制御するためにＯＤＵ内に「高価な」マイクロ波ＰＬＬを必要とする。
ＥＰ−Ａ−０８３６２８２では、同期した基準時間を得るために、改良型位相ロック・ループ回路がＭＰＥＧ−２伝送ストリームからタイム・スタンプを抽出するようになっている。前記改良型位相ロック・ループ回路は内部基準周波数を発生するための電圧制御型発振器（ＶＣＯ）を備えている。
音声、映像及びデータの圧縮形式のデジタル信号をバスを介して接続するための信号を発生する装置がＵＳ−Ａ−５８４１９８７から公知となっている。処理手段が音声、映像及びデータのデジタル信号を、バスを介した伝送のための超パケットの形式にする。各超パケットはタイム・スタンプを有しており、受信機器がそのタイム・パケットをクロック同期のために利用する。クロック同期の実現に関してそれ以上詳しい説明はない。
Ｐ．Ａ．ＳＡＲＧＩＮＳＯＮの「ＭＰＥＧ−２：Ａ  Ｔｕｔｏｒｉａｌ  Ｉｎｔｒｏｄｕｃｔｉｏｎ  ｔｏ  ｔｈｅ  Ｓｙｓｔｅｍｓ  Ｌａｙｅｒ」（ＩＥＥ  ＣＯＬＬＥＱＵＩＵＭ  ＯＮ  ＭＰＥＧ−２，１９９５年，４／１〜４／１３ページ）、及び、ＳＯＯ  ＩＮ  ＬＥＥ他の「Ｉｍｐｌｅｍｅｎｔａｔｉｏｎ  ｏｆ  ＭＰＥＧ−２  ＴＳ  Ｒｅｍｕｌｔｉｐｌｅｘｅｒ  ａｎｄ  Ｄａｔａ  Ｔｒａｎｓｐｏｒｔ  ｆｏｒ  ＨＤＴＶ  Ｓａｔｅｌｌｉｔｅ  Ｂｒｏａｄｃａｓｔｉｎｇ」（ＩＥＥＥ  ＴＲＡＮＳＡＣＴＩＯＮＳ  ＯＮ  ＣＯＮＳＵＭＥＲ  ＥＬＥＣＴＲＯＮＩＣＳ，ｖｏｌ．  ４３，  ｎｏ．  ３，１９９７年６月１１〜１３日，３２４〜３２９ページ）には、ＭＰＥＧ−２システム層の基本原理に関する一般的記述があり、従来型テレビや高精細テレビ（ＨＤＴＶ）が数例、説明されている。
【００１０】
しかし、これらの解決法はいずれも高い費用を必要とする。そこで、本発明の一つの目的は、衛星ＴＤＭＡネットワークのユーザ局中において、低コストで、正確且つ安定で、厳しい位相ノイズ要件を満たすキャリア周波数を発生させることである。
【００１１】
この目的は、請求項１に記載した諸特徴を有する基準周波数発生装置によって解決される。さらに、基準時間は、請求項２１に従う諸特徴を有する装置により、その基準周波数から導出される。基準時間を発生するための更なる装置は、請求項２０に記載の諸特徴を有する。
【００１２】
さらに、請求項１に記載の基準周波数発生装置は、請求項２２に従う主局及び数局の基地局からなる通信ネットワークに有利に適用できる。
【００１３】
上記の目的はまた請求項２３に記載の特徴に従う基準周波数発生方法によって解決される。請求項４３に従う特徴を有する方法により、前記基準周波数から基準時間が導出される。本発明に従って基準時間を求める別の可能性は請求項４２に記載の特徴を有する方法によって与えられる。
【００１４】
本発明の解決法は、ユーザ局内には少なくとも一つの自励発振器が設けられ、ここから少なくとも一つのローカル発振器（ＬＯ）周波数と中間周波数（ＩＦ）が導出されるという認識に基づいている。ＬＯ周波数とＩＦ周波数を同一の自励発振器から導出することも、またＬＯ周波数を第１自励発振器から、またＩＦ周波数を第２自励発振器から導出することも可能である。
【００１５】
自励発振器の実際の周波数に公称値からの偏差があると、キャリア周波数に偏差が生じる。従って、本発明では、データ・ストリームから抽出したタイミング情報との比較によって自励発振器の周波数偏差を推定すること、及び、周波数修正値によってＩＦ周波数を修正することを考える。ＩＦ周波数とＬＯ周波数はリンキング手段によって無線周波数（ＲＦ）にリンクされ、ここで制御手段が、基準周波数によって与えられたタイミング情報が前記データ・ストリームから抽出されたタイミング情報に対応するように、推定周波数偏差に基づいてそれぞれの修正値を決定する。
【００１６】
基準周波数としてＲＦ周波数を得ながら、そのＲＦ周波数によって駆動されるカウンタで基準時間を発生させることができる。このとき、カウンタの内容が基準時間となる。
【００１７】
データ・ストリームから抽出されたタイミング情報に依存して基準時間を発生する別の可能性は、データ・ストリームのタイミング情報を、閉ループ回路内の発振器で駆動されるカウンタによって探索することである。このとき、カウンタの内容が基準時間となる。
【００１８】
本発明は、主局及び数局の基地局を含む通信ネットワークに適用することができる。このとき、主局がデータ・ストリームの中で時間情報を各基地局に伝送し、また各基地局は本発明に従って基準周波数を発生する装置を備える。
【００１９】
本発明に従って成される装置及び方法は多数の利点を有している。従って、本発明によれば、高価なＯＤＵ恒温槽付発振器の必要性を回避することができる。さらに、主局によるキャリア周波数の同期の必要がなくなる。最後に、全ての基地局またはユーザ局に対する周波数およびタイミング情報をＭＰＥＧ準拠機構という土台の上で伝送することができるため、フレーム送信の開始のような付加的な時間同期機構またはＭＰＥＧによって規定されない他の特定機構の必要性を回避できる。さらに、数個のインドア・ユニットを一つのアウトドア・ユニットに接続すれば、アウトドア・ユニット内に一つだけ発振器を配置することによって費用節減を達成することができる。
【００２０】
本発明の一態様では、タイミング情報はデータ・ストリーム内で伝送されるタイム・スタンプからなる。好ましくは、タイム・スタンプは２７ＭＨｚクロックに基づいたＭＰＥＧ−２伝送ストリームのプログラム・クロック基準（ＰＣＲ）からなる。
【００２１】
本発明の別の態様では、リンキング手段が、その出力信号がそれぞれの入力信号の周波数を線形的に組み合わせた周波数を有する少なくとも一つのミキサーからなる。通常、ミキサーは、ミキサー出力信号が入力信号の周波数の和になるようにフィルターと組み合わされる。しかし、ミキサーと組み合わせられるフィルターを、前記ミキサーの出力信号の周波数が入力信号の周波数の差の大きさとなるように設計することも可能である。
【００２２】
本発明のさらに別の態様では、推定手段が、それぞれの発振手段の周波数偏差を次式に基づいて推定する。
【数３】
0003553020.tif 000002
ここで、ｔｉｎｆ（ｄａｔａ）：データ・ストリームのタイミング情報
ｔｉｎｆ（ｏｓｃ）：発振手段のタイミング情報
ｆｒｅｑｕｅｎｃｙ（ｏｓｃ）：発振手段の周波数
【００２３】
それぞれのタイミング情報が周波数修正手段によって最終訂正が適用された後の周期に関連づけられるように、すなわち、タイミング情報を得るためのいずれの時間測定も周波数修正手段による最終訂正の後で開始するようにすると有利である。
【００２４】
本発明の別の態様では、推定が、その内容が閉ループ回路内でデータ・ストリームのタイミング情報を探索するようなカウンタからなり、カウンタの調整工程がそれぞれの周波数偏差を推定する役割も果たす。カウンタの内容を基準時間信号として利用することができるのも有利である。
【００２５】
本発明のさらに別の態様では、推定がタイミング情報に基づいてＰＬＬ周波数を発生する位相ロック・ループからなり、周波数偏差はＰＬＬ周波数をそれぞれの発振手段の周波数と比較することによって得られる。
【００２６】
本発明の別の態様では、周波数修正手段が、スケーリング・ファクタによってそれぞれの発振信号の周波数を修正する周波数スケーリング手段からなる。
【００２７】
本発明のさらに別の態様では、制御手段がマイクロプロセッサからなる。少なくとも一つの発振手段の周波数を得るために、ＡＤ変換器が設けられている。ＡＤ変換器は発振手段の正弦波を、マイクロプロセッサによって容易に処理できる方形波信号に変換する比較器から簡単に構成できる。必要ならば、前記少なくとも一つの発振手段の周波数をマイクロプロセッサの処理速度を考慮してより適切な低い周波数に変換するために、周波数分割器を付加的に設けることもできる。ＭＰＥＧ−２伝送ストリームのプログラム・クロック基準と前記少なくとも一つの発振手段との間の偏差を決定するために、伝送されたＰＣＲタイム・スタンプが周期的にマイクロプロセッサによって処理される。前記少なくとも一つの発振手段とプログラム・クロック基準との間には一定の比率がなければならない。そうでなければ、マイクロプロセッサは前記少なくとも一つの発振手段の内部周波数とＰＣＲ値との差に基づいてそれぞれの周波数修正値を決定しなければならない。従って、推定手段もマイクロプロセッサ内のソフトウエアによって完全に実装できるため、非常に簡素で適用自在な装置となる。
【００２８】
本発明の別の態様では、前記少なくとも一つの発振手段が第１自励発振器からなる。この実装により本発明を極めて安価に実現することができる。さらに、数個のインドア・ユニットが一つのアウトドア・ユニットに接続される場合には、アウトドア・ユニット内に単一の発振器を配備することで費用削減を達成できることにも注意しなければならない。好ましくは、第１自励発振器の周波数をＩＦ周波数より低くし、第１自励発振器から導出された第１発振信号の周波数を増大させることによってＩＦ周波数を発生させるようにする。付加的に、第１自励発振器から第２発振信号を導出し、その信号を、ＬＯ周波数を提供するために周波数逓倍器に供給する。実際のＲＦ周波数はＩＦ周波数をＬＯ周波数と混合することによって導出できる。制御手段内での訂正のおかげで、第１自励発振器から導出された第１発振信号及び第２発振信号の周波数偏差は、ＲＦ周波数がＰＣＲ値によって受信された時間基準に関連する基準周波数となるように補正される。
【００２９】
本発明の別の態様では、第１自励発振器に加えて、第３発振信号を生成する第２自励発振器が設けられている。第３発振信号はＩＦキャリア信号を生成する周波数修正手段に供給される。このときも第２発振信号は推定手段に供給される。従って、第３発振信号は、第１自励発振器と第２自励発振器の周波数偏差が補正されるように、周波数修正手段によって修正される。
【００３０】
ペイロード信号またはユーザ信号を伝送するために、ＩＦキャリア信号がユーザ信号と一緒に、中間伝送信号を生成するミキサーに供給される。中間伝送信号は前記第２発振信号と一緒に、前記基準周波数に対応するキャリア周波数を有するＲＦ信号を生成するミキサーに供給される。
【００３１】
本発明の他の目的および特徴は次の明細書および図面を参照することによって明白となろう。
【００３２】
概して、専門的規格に従い、かつ、位相ノイズの低い安定した正確な２７ＭＨｚクロックを提供する中央クロックを有する主局を備える通信システムに関する。この信号は衛星を介して全てのユーザ局に分配される。
【００３３】
分配のために、ＭＰＥＧ−２に規定されたタイム・スタンプ機構が使用される。
【００３４】
４２ビット・カウンタがこの２７ＭＨｚクロックによって駆動される。規則的な時間間隔で、カウンタ値が読み取られ、ＰＣＲとしてＴＳパケットの適用フィールドに入れられる。
【００３５】
一般的に、ＰＣＲ値は到来ビデオ信号のクロックから導出することができる。しかし、このクロックの規定精度は、戻りチャネル（リターンチャネル）を同期させるためには十分ではない。従って、より正確なＰＣＲ値を発生させることが必要にあることもある。
【００３６】
図１は本発明の第１実施例による基準周波数を発生するためのブロック図を示す。ユーザ局１０はインドア・ユニット９とアウトドア・ユニット８に分割されている。アウトドア・ユニット８内には発振器１が設けられている。これは、一般的には１００ＭＨｚ水晶発振器であって、「純粋」な精度と長時間安定性（２０−３０ｐｐｍ）を有するが、位相ノイズがかなりある。この発振器１はアウトドア・ユニット８内に配備され、ここから、対応する信号が、１０ＭＨｚの発振周波数ｆＯＳＣを生成する周波数分割器４に供給される。アウトドア・ユニット８内のアップコンバータもまた発振器１によって駆動される。ここでは、ローカル周波数信号ｆＬＯが前記発振器１に接続された周波数逓倍器２によって導出される。発振器１の周波数変化のために、信号ｆＬＯには最大２ＭＨｚの周波数オフセットが生じることがある。このオフセットは補正する必要がある。
【００３７】
この周波数偏差を補償するために、アウトドア・ユニット８内の発振器１によって発生された周波数が、処理ユニット５内の入力信号１１から導出されたタイミング情報と比較される。この比較の差がシンセサイザ６を駆動し、その結果発生するキャリア周波数ｆＩＦが実際のローカル周波数ｆＬＯに付加されて、修正キャリア周波数ｆＲＦを提供する。従って、対応する周波数修正値ΔｆＣＯＭＰが信号ｆＯＳＣによって駆動されるシンセサイザ６に供給され、シンセサイザ６の出力がペイロード信号を変調するためのミキサー７に供給され、キャリア周波数ｆＩＦが生成される。信号ｆＩＦが信号ｆＬＯと一緒に別のミキサー３に供給され、所望の基準周波数に等しいキャリア周波数を有する信号ｆＲＦが生成される。
【００３８】
次に、処理ユニット５による補償信号ΔｆＣＯＭＰの計算について説明する。ＦＯＳＣ，ｎｏｍとΔｆＯＳＣは公称値と、自励発振器周波数ｆＯＳＣの変動を意味する。値ΔｆＯＳＣの推定について図２と図３を参照して以下に詳細に説明する。
【００３９】
ＬＯ周波数およびＩＦ周波数は、
【数４】
0003553020.tif 000003
と、
【数５】
0003553020.tif 000004
によって与えられる。ここで、ΔｆＣＯＭＰはＩＦキャリアを発生するシンセサイザに印加される補償値を表し、ｍＬＯは周波数逓倍器２の乗率を表わし、またｍＩＦはシンセサイザ６の因子を示している。得られるＲＦキャリア周波数のｆＲＦは、
【数６】
0003553020.tif 000005
によって与えられる。ここで、ｆＲＦ，ｎｏｍ＝（ｍＬＯ＋ｍＩＦ）ｆＯＳＣ，ｎｏｍは公称ＲＦキャリア周波数を表わす。従って、発振周波数ｆＯＳＣの偏差ΔｆＯＳＣは、ΔｆＣＯＭＰを
【数７】
0003553020.tif 000006
として選択することによって補償される。
【００４０】
第１実施例において、ローカル発振器はアウトドア・ユニット内に配置するのが有利であった。しかし、上述した実施例に何も限定することなく、自励発振器をインドア・ユニット内に配置することもできることに注意しなければならない。この場合、自励発振器によって発生されたクロック・パルスは、インドア・ユニットからアウトドア・ユニットに転送されなければならない。
【００４１】
処理ユニット５により発振器１の周波数偏差ΔｆＯＳＣを推定するためのいくつかの可能な実装がある。次に、二つの可能な実装、すなわち、ＰＬＬ原理に基づく推定とカウンタ調整による推定について説明する。
【００４２】
図２はＰＬＬ原理に基づく推定手段のブロック図を示す。ＭＰＥＧ−２基準の２７ＭＨｚクロックが、入力データ・ストリーム１１の受信ＰＣＲ値にロックされた位相ロックループ（ＰＬＬ）を使用して再生される。カウンタ２１が電圧制御型発振器（ＶＣＯ）２２のクロック信号によって駆動される。カウンタ２１の内容が比較器２３によって入力データ・ストリーム１１のＰＣＲ値と比較される。ＰＣＲ値がカウンタの内容よりも大きければ、ＶＣＯの周波数がフィルター２４の帰還信号によって増加させられ、ＰＣＲ値が小さければ、ＶＣＯ２２の周波数が減少させられる。信号２５はデータ・ストリーム１１のＰＣＲ値に関する抽出周波数基準として利用できる。さらに、カウンタの内容２６はユーザ局内の時間基準としての役割を果たす。
【００４３】
抽出された周波数基準２５は発振器１の周波数偏差の推定を得るのに利用できる。これは抽出された周波数基準２５と信号ｆＯＳＣの周波数との間に所与の関係があることを前提として実行される。この関係からのいかなるオフセットも修正値ΔｆＣＯＭＰによって補正される。
【００４４】
図３はカウンタ調整による推定手段のブロック図を示す。推定手段３０は自励発振器１によって駆動されるカウンタ３１を利用する。カウンタの内容が入力データ・ストリーム１１内で受信されたＰＣＲ値を探索する。カウンタの内容３４は時間基準としての役割も果たし、フィルタ３３により分配されるカウンタ・ステップ調整３５が、自励発振器１の周波数とＰＣＲ値に基づいたタイミング情報との間の周波数偏差の推定としての役割を果たす。
【００４５】
図４は本発明の第２実施例による基準周波数を発生させるブロック図を示す。実装上の理由から、二つの自励１０ＭＨｚ発振器が有利である。すなわち、アウトドア・ユニット内の一つはＬＯキャリアを発生させ、インドア・ユニット内のもう一つはシンセサイザに供給される。この場合、ＲＦキャリア信号が両発振器からの精度の悪さによって影響を受けないうように補正信号が必要である。アウトドア・ユニット４８はここでも第１発振器４１を備え、その信号はＬＯキャリア信号ｆＬＯを生成する周波数逓倍器４２に供給される。さらに、第１発振器４１の出力信号が処理ユニット４５に供給される。第２発振器４４がインドア・ユニット４９内に配置され、その出力信号が処理ユニット４５とシンセサイザ４６両者に供給される。デジタル・アルゴリズム５１、５２が、データ・ストリーム１１内でＰＣＲ値によって配信されたタイミング情報を考慮しつつ各発振器４１、４２の周波数偏差を推定する。この推定は図２と図３に関して説明したように実行される。デジタル・アルゴリズム５１、５２によって得られた周波数偏差を用いて、コンバイナ５３がシンセサイザ４６のための補正値ΔｆＣＯＭＰを生成する。図１に基づいて既に説明したように、シンセサイザ４６の出力信号がミキサー４７によってユーザ信号と合成され、ＩＦキャリア信号ｆＩＦが生成される。この信号がＬＯキャリアｆＬＯと一緒に別のミキサー４３に供給され、自励発振器４１、４４両方の不安定性によって影響されないＲＦキャリア信号が生成される。
【００４６】
次に、処理ユニット４５による値ΔｆＣＯＭＰの計算を説明する。ｆＯＳＣ，ｏｕｔとｆＯＳＣ，ｉｎはアウトドアおよびインドア発振器の周波数を示す。公称値及び公称値を中心とする変動幅の組み合わせで表すと次のようになる。
【数８】
0003553020.tif 000007
【００４７】
ＬＯ周波数およびＩＦ周波数は
【数９】
0003553020.tif 000008
と
【数１０】
0003553020.tif 000009
によって与えられる。ここで、ΔｆＣＯＭＰはＩＦシンセサイザに加えられる補正信号であり、ｍＬＯは周波数逓倍器４２の乗率を示し、またｍＩＦはシンセサイザ４６の乗率を示す。合成されるＲＦ周波数は、
【数１１】
0003553020.tif 000010
によって与えられる。ここで、ｆＲＦ，ｎｏｍ＝（ｍＬＯ＋ｍＩＦ）ｆＯＳＣ，ｎｏｍは公称ＲＦ周波数を示す。両方の発振器からの不安定性は、
【数１２】
0003553020.tif 000011
を選択することによって補正される。
【００４８】
上記の機構は、ユーザ局においてＰＣＲ基準周波数を完全に再生することを仮定している。しかし、衛星の移動する位置とユーザ局の位置の不確定性のために、ドップラ効果が基準周波数の値に僅かに影響する。
【００４９】
ＲＦキャリア周波数に対する影響を推定するため、１０００ｋｍ×１０００ｋｍの正方形領域の中心に主局を、また二つのユーザ局を正方形の対向するコーナーに配置することを考える。主局の緯度は北緯４５°とし、その経度は任意に０°に設定する。各局の座標は表１のように与える。
【表１】
0003553020.tif 000012
【００５０】
静止衛星は地球から３６０００ｋｍにあって、送信局と同じ経度で赤道面内（すなわち、０°）にある。衛星の運動は半径方向、接線および垂直方向におけるその速度によって特徴付けられる。すなわち、これらの速度は正弦的に時間とともに変化すると仮定され、全ての三方向に２．５ｍ／ｓの最大速度であり、２４時間周期で半径方向、また１２時間で接線方向および垂直方向に変化する。
【００５１】
分析的およびシミュレーション的分析が表２に示した結果になる。｜Δｆ｜＠３０ＧＨｚは全ターミナルに共通の衛星運動によるオフセットを示す。｜（Δｆ１−Δｆ２ ）｜＠３０ＧＨｚは二つのターミナル間のオフセットを指示する。これは二つのユーザ局間に生じる差を指示するので、本題に最も関連のある数値である。これらの値はオフセットが（２００ｋＳｙｍ／秒を越える）シンボルレートの１／１０００未満であることを明確に示し、従って、その概念が有効であることを示す。最終行はＰＣＲ機構の不完全な側面及びＩＤＵ発振器の位相ノイズまで考慮していることに注意されたい。
【表２】
0003553020.tif 000013
【００５２】
衛星の中継器によって持ち込まれる周波数オフセットは、ターミナルにより使用されるべき周波数を指示するときに自動的に考慮されることになり、ＩＤＵはこのオフセットを補正するための付加的な計算を考慮しなくてもよい。
【００５３】
受信ＰＣＲ値はＴＤＭＡ戻りチャネルの伝送タイミングのための時間ベースを規定するのに使用することができる。
【００５４】
バーストが送り制御ストリーム中に受信されたバースト・タイム・プラン（ＢＴＰ）に基づいて送られる。このバースト・タイム・プランは、全てのユーザに対して同じでなければならない基準から開始される多数のバーストで表現される。各フレームが一連のバーストを含んでおり、その開始時間がフレームのグローバル・スタートに対するオフセットによって表わされる。ＳＩテーブルに包含されるフレーム記述テーブル（ＦＤＴ）は、フレームの開始に対応するＰＣＲ値をフレーム毎に含んでいる。
【００５５】
ユーザ局はアップリンク・フレームの構造とフレームのスタートにおけるＰＣＲ値を規定するＦＤＴを待ち受けなければならない。この値は超フレームのスタートに対するカウンタ・オフセットとして与えられてもよい。この場合、超フレームのスタート時点においては、その値は絶対ＰＣＲ値を含む。これと並行して、ユーザ局はこの特定ユーザ局にどのスロットが割り当てられているかを規定するＢＴＰを受信する。スロットの割り当ては接続毎を基本として行ってもよいし、フレーム毎を基本としてもよい。
【００５６】
従って、ユーザ局は様々なサービス品質のトラフィックに対応した数個のキューを備える必要がある。ユーザ局内のＣＰＵは、トラフィック及び信号キュー毎に次の利用可能なスロットを計算し、それを、主局と同期したＰＣＲカウンタを自ら有するローカル・スケジューラに送る必要がある。
【００５７】
ユーザ局は衛星までの距離に依存する伝搬遅延を考慮することも必要である。この距離はユーザ局ロケーションから算出することができ、通信遅延は時間基準に加算するか、または時間基準から減算する必要がある。
【００５８】
表３は主局とユーザ局との間の１本の経路（送りまたは戻り）の遅延に対する衛星位置の効果を示す。ここでは、衛星の公称位置のみ既知であって、衛星の真の位置は毎分一回通知されて１分間その値が維持されるものとしており、最終的にＰＣＲ到達タイム・ジッターの効果とローカル・ユーザ局位相ノイズが考慮されている。｜ｅ／ｆ０｜は、衛星位置の不正確さによる一つのターミナルのタイミング・エラーを示し、｜（ｅ１−ｅ２）／ｆ０｜は地上の異なる場所内に配置された二つのターミナル間のタイミング・エラーの差を示す。
【表３】
0003553020.tif 000014
【００５９】
約５０から２００バイトのスロットを考慮した場合、最高２メガビット／秒までのレートが可能なら、スロットは２００μｓ程度の短さとなる。明らかに、表３に示したエラーは、スロット・サイズを考慮すると、極めて重大である。従って、これらのエラーを正確に修正する必要がある。バースト同期システムは、シンボル同期システムほど要求は厳しくない。バースト同期システムに対して、バーストが互いにオーバーラップしていない限り、主局の受信機は各バーストを前後のバーストから独立させて取得することができる。これはバースト間の十分なガード時間を導入することによってより確実にすることができる。シンボル同期システムについては、タイミングはシンボル周期の約１／１０以下の精度である必要があり、高いビットレートの場合には達成するのが非常に困難である。
【００６０】
タイミング精度を改善するために、二つの解決法がある：
１）主局が、各ユーザ局間と送受信動作を交互に行うことによって、ユーザ局がその送信時間オフセットを頻繁に修正していることを確認することにより、主局を通じて機構を巡回する。
２）衛星位置（異なる場合に送りパスおよび戻りパス）をユーザ局に通知し、ユーザ局はその情報と自局の位置から時間オフセットを算出する。
【００６１】
解決法２は解決法１（ターミナル位置が不正確であるため）より複雑で信頼性に劣るが、帯域を節約できる点で確かに魅力的である。解決法１は実際にネットワークに対してターミナルの同期を維持するために帯域の大部分を必要とする。衛星の位置は高精度で制御センターにも知られているので、この情報をユーザ局に伝送することは基本的になんら問題はなく、ユーザ局で実際の距離を決定できる。他の解決法としては、巡回行程と、ユーザ局における巡回時間の間の局所的補間とを合成したようなものが考えられる。
【００６２】
実装の違いからなんらかの時間オフセットが残ることもあり、これは主局から管理された時間巡回行程によって補償しなければならない。主局は、どのくらいのオフセットがエラーを修正するのに必要であるのかターミナルに対して指示する。しかし、このエラーは衛星位置に対して一定であるので、ユーザ局でのログオン時に補償しさえすればよい。
【００６３】
主局の基準クロックに関するタイム・ドリフトを回避するために、送信機のシンボル・クロックも２７ＭＨｚＰＣＲにロックされなければならない。
【００６４】
しかし、注意すべきは、最も要求の厳しいシンボル同期システムにおいてでさえ、ユーザ局のクロックに１回のバースト内でシンボル周期の１／１０を超えるドリフトが生じてはならないとされていることである。これは、シンボル・クロックの周波数オフセットが一つのシンボル当り１／４０００であることを表わしており（１バースト当り４００シンボルと仮定）、シンボル・クロックにつき約２５０ｐｐｍを意味しているということに注意されたい。衛星移動とターミナル位置が不正確であったとしても、２７ＭＨｚＰＣＲ同期機構では容易に１０−２ｐｐｍに達することができるので、ＰＣＲはシンボル・クロック同期のための優れた機構であることは明白である。
【００６５】
ＰＣＲベースのクロックの位相ノイズは表３に説明したようにシンボル・クロックに約３  ｎｓ  ｒｍｓのジッターを持ち込む。これは最も早いシンボルレートの１／１００未満であり、なんら問題を呈することはない。
【図面の簡単な説明】
【図１】本発明の第１実施例による基準周波数を発生するためのブロック図。
【図２】ＰＬＬ原理に基づく推定手段のブロック図。
【図３】カウンタ調整に基づく推定手段のブロック図。
【図４】本発明の第２実施例による基準周波数を発生するためのブロック図。
【図１】
0003553020.tif 000017
【図２】
0003553020.tif 000018
【図３】
0003553020.tif 000019
【図４】
0003553020.tif 000020